(57)【特許請求の範囲】
【請求項１】
操作基板と、前記操作基板に取り付けられた表示部位を点灯するバックライトユニットと、前記バックライトユニット上に設置した液晶表示素子、および、機器操作を入力する操作スイッチとを有する操作基板ユニットを備え、かつ、天面外郭部を備えた加熱調理機器の操作制御装置であって、
前記操作基板ユニットを、操作部位の上部を覆う操作上面カバーケースでホールドし、前記操作上面カバーケースと前記天面外郭部とを上方向よりビスにより固定した加熱調理機器の操作制御装置。
【請求項２】
操作基板の裏面側より、操作基板と操作上面カバーケースとをビスにより固定した請求項１に記載の加熱調理機器の操作制御装置。
【発明の詳細な説明】
【技術分野】
【０００１】
本発明は、加熱調理機器の操作制御装置に関するものである。
【背景技術】
【０００２】
近年、熱源を電力、都市ガス及びＬＰガスとする加熱調理機器の火力コントロールをマイコン、ＩＣ等を利用した電子制御で行う機器が一般化してきている。
【０００３】
中でも、機器の操作部の位置が着目されてきており、操作部の位置によっては、操作性が大きく影響するため、使用者の視点を重視した製品が多く提案されてきている（例えば、特許文献１参照）。
【０００４】
図７は、特許文献１に記載された従来の加熱調理機器の操作制御装置を示すものである。図７に示すように、操作表示部２５を本体２６から可動させ、斜めに使用時に配置させて使用するものである。
【特許文献１】特開平６−３４７０４６号公報
【発明の開示】
【発明が解決しようとする課題】
【０００５】
しかしながら、従来の加熱調理機器では、加熱調理を行う部位、例えば、ロースター等の発する高温のため、近接した位置には、電子部品からなる操作部を設けることが前記電子部品の耐熱性の問題により難しく、機器の大きさ、高さの制限も有り、操作部を特に上面近傍に配置することが困難であった。
【０００６】
また、一部の機器では、上面に操作部の限定した加熱操作を行うものが提案されてはいるが、殆どの操作が行えるものは提案されておらず、一部の簡易な操作しか対応できず、従って使用者は、離れた視点の異なる２箇所以上の操作部を見ながら調理を行う必要が有るという課題を有していた。
【０００７】
本発明は、前記従来の課題を解決するもので、機器を制御する操作部分を機器の天面に配設し、使い勝手の良い加熱調理機器の操作制御装置を提供することを目的とする。
【課題を解決するための手段】
【０００８】
本発明は、前記従来の課題を解決するために、操作基板と、前記操作基板に取り付けられた表示部位を点灯するバックライトユニットと、バックライトユニット上に設置した液晶表示素子（以下液晶という）、および、機器操作を入力する操作スイッチとを有する操作基板ユニットを備え、かつ、天面外郭部を備えた加熱調理機器の操作制御装置であって、前記操作基板ユニットを、操作部位の上部を覆う操作上面カバーケースでホールドし、操作上面カバーケースと天面外郭部とを上方向よりビスにより固定したものである。
【０００９】
これにより、操作する部分を天面外郭部にコンパクトにまとめることが可能となり、熱源からの距離を確保できるため、操作部分を天面に集中して配設することができることとなる。
【発明の効果】
【００１０】
本発明の加熱調理機器の操作制御装置は、機器の天面外膈部に操作部位を集中して配設することができ、使い勝手の良い操作制御装置を使用者に提供することが可能となる。
【発明を実施するための最良の形態】
【００１１】
第１の発明は、操作基板と、前記操作基板に取り付けられた表示部位を点灯するバックライトユニットと、前記バックライトユニット上に設置した液晶、および、機器操作を入力する操作スイッチとを有する操作基板ユニットを備え、かつ、天面外郭部を備えた加熱調理機器の操作制御装置であって、前記操作基板ユニットを、操作部位の上部を覆う操作上面カバーケースでホールドし、前記操作上面カバーケースと前記天面外郭部とを上方向よりビスにより固定することにより、操作部分をコンパクトにまとめることが可能となり、熱源からの距離を確保できるため、操作部分を天面に集中して配設することができる。
【００１２】
第２の発明は、特に第１の発明の操作基板の裏面側より、操作基板と操作上面カバーケースとをビスにより固定することにより、より操作基板に応力がわった場合でも、その応力を低減可能とできる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における加熱調理機器の操作制御装置の構成図を示すものである。
【００１５】
図１において、操作基板１に取り付けられた表示部位を点灯するバックライトユニット２と、バックライトユニット２上に設置した液晶３と、機器操作を入力する操作スイッチ４とで構成される操作基板ユニットを操作部位の上部を覆う操作上面カバーケース５によりホールドし、さらに天面外郭部６とをビス７により上からの方向、例えば、α１、α２の方向より固定することで、操作基板１に組立て時に過負荷の印加が避けられると共に、上方からの組立て作業のみで製品を組上げることも可能となる。また、操作部分をコンパクトにまとめることが可能となり、熱源からの距離を確保できるため、高さ制限のある加熱調理機器における操作部分を天面に集中して配設することができる。なお、操作基板１の下側に断熱効果のあるシート（図示せず）や操作上面カバーケース５に組合わせるようにした下面カバーケース（図示せず）を設けることで操作基板１の下方向からの更なる断熱効果を上げることができる。
【００１６】
また、図２は、電子部品の配設された操作基板１と操作上面カバーケース５とのホールド力が必要な場合、操作上面カバーケース５より操作基板１とを固定するための孔（図示せず）を設けた部分を操作基板１の裏面からの方向、例えば、β１、β２の方向よりビス８にて固定すれぱ良い。これにより、より操作基板に応力がわった場合でも、その応力を低減可能となる。
【００１７】
また、図３は、種々の電子部品を搭載する操作基板１上にバックライトユニット２と共に取り付けられる液晶３の状態を示したものである。
【００１８】
まず、図３において、液晶３のリード３ａを操作基板１の上面との間で曲げたリード屈曲部位３ｂにて図示しているように任意の形状に屈曲させた形状にし、バックライトユニット２上に設置することにより、操作基板１から伝わる液晶３のリード３ａへの応力を、リード屈曲部位３ｂの部分で吸収し、液晶３に伝わる応力を低減させ、表示部分に伝わる影響を抑えることができる。
【００１９】
また、図４は、種々の電子部品を搭載する操作基板１上にバックライトユニット２と共に取り付けられる液晶３と操作スイッチ４との状態を示したものである。
【００２０】
図４において、操作基板１上にバックライトユニット２と共に取り付けられる液晶３のリード３ａと、操作スイッチ４と間にスリット９を設けることにより、過剰な応力が操作スイッチ４から入力された場合に、スリット９の部分で操作スイッチ４から入力された応力が遮断され、リード３ａから液晶３への応力が伝わることを避けることが可能となり、液晶３に表示される情報も安定したものとすることができる。
【００２１】
また、図５は、バックライトユニットの構成を示したものである。
【００２２】
まず、操作基板１上にＬＥＤ２１を配し、ＬＥＤ２１の光源を反射させる一方向のみスリットを設けた、閉空間を有する光反射樹脂部品２２と、その一方向より光を誘導する透明樹脂により形成した導光板２３とからなるユニットとすることにより、ユニットとしての高さを低くすることができると共にＬＥＤ２１の数量も従来の方式に比べ少ない数で対応できる。
【００２３】
また、図６では、図５の場合より、より均一なバックライトの光り方を求めるために導光板２３上に設置した導光板より伝導された光を乱反射させるために光拡散シート２４を設置することとしたものである。これにより均一な発光状態とすることができる。
【産業上の利用可能性】
【００２４】
以上のように、本発明の加熱調理機器の操作制御装置は、機器の高さに制限される熱源のある上面方向にでも、操作部位をコンパクトにまとめることが可能なため設置が可能となり、使用者に視認性が良く使い勝手の良い加熱調理機器等の用途にも適用することができる。
【図面の簡単な説明】
【００２５】
【図１】本発明の実施の形態１における加熱調理機器の操作制御装置の構成図を示す図
【図２】本発明の実施の形態１における加熱調理機器の操作制御装置の構成図で操作基板を固定する手法を追加した図
【図３】本発明の実施の形態１における加熱調理機器の操作制御装置の種々の電子部品を搭載する操作基板１上にバックライトユニット２と共に取り付けられる液晶３の状態を示した図
【図４】本発明の実施の形態１における加熱調理機器の操作制御装置の種々の電子部品を搭載する操作基板１上にバックライトユニットと共に取り付けられる液晶と操作スイッチ４との状態を示した図
【図５】本発明の実施の形態１における加熱調理機器の操作制御装置に配されるバックライトユニットの構成を示した図
【図６】本発明の実施の形態１における加熱調理機器の操作制御装置に配されるバックライトユニットの構成部品を追加した構成を示した図
【図７】従来の加熱調理機器の操作制御装置の構成を示した図
【符号の説明】
【００２６】
１  操作基板
２  バックライトユニット
３  液晶
３ａ  リード
３ｂ  リード屈曲部位
４  操作スイッチ
５  操作上面カバーケース
６  天面外郭部
７  ビス
８  ビス
９  スリット
２１  ＬＥＤ
２２  光反射樹脂部品
２３  導光板
２４  光拡散シート
２５  操作表示部
２６  本体
【図１】
0003991950.tif 000002
【図２】
0003991950.tif 000003
【図３】
0003991950.tif 000004
【図４】
0003991950.tif 000005
【図５】
0003991950.tif 000006
【図６】
0003991950.tif 000007
【図７】
0003991950.tif 000008